(57)【要約】【課題】現金処理装置内の残置金を適正化する回金業務において、現金事故のリスクを低減する。【解決手段】在高情報１３１は、各現金処理装置１０１−ｉにおける各金種別収納庫１１１−ｊ及び交換収納庫１１２内の現金の在高を含む。交換収納庫１１２は、他の現金処理装置との間で交換される。選択部１２２は、在高情報１３１に基づいて、いずれかの金種の在高が残値金の設定値未満である第１現金処理装置と、第１現金処理装置に対して現金を補充可能な第２現金処理装置との組み合わせを抽出する。そして、選択部１２２は、第２現金処理装置が補充可能な補充量に基づいて、所定の組み合わせを選択する。移動指示部１２３は、所定の組み合わせに含まれる第１現金処理装置及び第２現金処理装置に対して、現金を移動させる移動指示を出力する。【選択図】図１
2020046739.tif 000002
【特許請求の範囲】
【請求項１】
複数の現金処理装置と、前記複数の現金処理装置に収納されている現金の在高を制御する制御装置とを備える現金処理システムであって、
前記複数の現金処理装置各々は、
複数の金種それぞれの現金を金種別に収納する金種別収納庫と、
前記複数の金種のうち１種以上の金種の現金を収納し、他の現金処理装置との間で交換される交換収納庫と、
前記金種別収納庫と前記交換収納庫との間で現金を移動させる移動制御部とを含み、
前記制御装置は、
前記複数の現金処理装置それぞれの前記金種別収納庫に収納されている現金の在高と、前記複数の現金処理装置それぞれの前記交換収納庫に収納されている現金の在高とを含む、在高情報を記憶する記憶部と、
前記在高情報に基づいて、前記複数の現金処理装置の中から、いずれかの金種の在高が残値金の設定値未満である第１現金処理装置と、前記第１現金処理装置に対して不足量の一部又は全部を補充可能な在高を有する第２現金処理装置との組み合わせを抽出し、前記第２現金処理装置が補充可能な補充量に基づいて、抽出した組み合わせの中から所定の組み合わせを選択する選択部と、
前記所定の組み合わせに含まれる第１現金処理装置及び第２現金処理装置に対して、現金を移動させる移動指示を出力する移動指示部とを含む、
ことを特徴とする現金処理システム。
【請求項２】
前記移動指示部は、前記所定の組み合わせに含まれる第２現金処理装置に対して、前記不足量の一部又は全部に相当する補充用現金を、前記補充用現金の金種の金種別収納庫から前記交換収納庫へ移動させる、移動指示を出力するとともに、前記所定の組み合わせに含まれる第１現金処理装置に対して、前記補充用現金の移動先の交換収納庫が装着された際に、装着された交換収納庫から前記補充用現金の金種の金種別収納庫へ前記補充用現金を移動させる、移動指示を出力することを特徴とする請求項１記載の現金処理システム。
【請求項３】
前記選択部は、抽出した組み合わせのうち特定の組み合わせに含まれる第２現金処理装置のいずれかの金種の在高が残値金の設定値未満であり、前記特定の組み合わせに含まれる第１現金処理装置が、前記特定の組み合わせに含まれる第２現金処理装置に対して不足量の一部又は全部を補充可能な在高を有する場合、前記特定の組み合わせを前記所定の組み合わせとして選択することを特徴とする請求項２記載の現金処理システム。
【請求項４】
前記選択部は、抽出した組み合わせに含まれる第２現金処理装置が補充可能な補充量に基づく優先順位に従って、前記所定の組み合わせを選択し、
前記選択部は、前記第１現金処理装置の１種以上の金種の在高が残値金の設定値未満であり、前記第２現金処理装置の１種以上の金種の在高も残値金の設定値未満であり、前記第２現金処理装置が、前記第１現金処理装置に対してすべての金種の不足量の全部を補充可能な在高を有し、かつ、前記第１現金処理装置が、前記第２現金処理装置に対してすべての金種の不足量の全部を補充可能な在高を有する組み合わせを、前記優先順位の第１順位の組み合わせとして用いることを特徴とする請求項２又は３記載の現金処理システム。
【請求項５】
前記選択部は、
前記第１現金処理装置の１種以上の金種の在高が残値金の設定値未満であり、前記第２現金処理装置の１種以上の金種の在高も残値金の設定値未満であり、前記第２現金処理装置が、前記第１現金処理装置に対してすべての金種の不足量の全部を補充可能な在高を有し、かつ、前記第１現金処理装置が、前記第２現金処理装置に対して一部の金種の不足量の全部、一部の金種の不足量の一部、又はすべての金種の不足量の一部を補充可能な在高を有する組み合わせと、
前記第１現金処理装置の１種以上の金種の在高が残値金の設定値未満であり、前記第２現金処理装置の１種以上の金種の在高も残値金の設定値未満であり、前記第２現金処理装置が、前記第１現金処理装置に対してすべての金種の不足量の全部を補充可能な在高を有し、かつ、前記第１現金処理装置が、前記第２現金処理装置に対していずれの金種の不足量も補充不可能な在高を有する組み合わせと、
前記第１現金処理装置の１種以上の金種の在高が残値金の設定値未満であり、前記第２現金処理装置のすべての金種の在高が残値金の設定値以上であり、前記第２現金処理装置が、前記第１現金処理装置に対してすべての金種の不足量の全部を補充可能な在高を有する組み合わせとのうち、
いずれか１つ以上の組み合わせを、前記優先順位の第２順位の組み合わせとして用いることを特徴とする請求項４記載の現金処理システム。
【請求項６】
前記選択部は、
前記第１現金処理装置の１種以上の金種の在高が残値金の設定値未満であり、前記第２現金処理装置の１種以上の金種の在高も残値金の設定値未満であり、前記第２現金処理装置が、前記第１現金処理装置に対して一部の金種の不足量の全部、一部の金種の不足量の一部、又はすべての金種の不足量の一部を補充可能な在高を有し、かつ、前記第１現金処理装置が、前記第２現金処理装置に対して一部の金種の不足量の全部、一部の金種の不足量の一部、又はすべての金種の不足量の一部を補充可能な在高を有する組み合わせと、
前記第１現金処理装置の１種以上の金種の在高が残値金の設定値未満であり、前記第２現金処理装置の１種以上の金種の在高も残値金の設定値未満であり、前記第２現金処理装置が、前記第１現金処理装置に対して一部の金種の不足量の全部、一部の金種の不足量の一部、又はすべての金種の不足量の一部を補充可能な在高を有し、かつ、前記第１現金処理装置が、前記第２現金処理装置に対していずれの金種の不足量も補充不可能な在高を有する組み合わせと、
前記第１現金処理装置の１種以上の金種の在高が残値金の設定値未満であり、前記第２現金処理装置のすべての金種の在高が残値金の設定値以上であり、前記第２現金処理装置が、前記第１現金処理装置に対して一部の金種の不足量の全部、一部の金種の不足量の一部、又はすべての金種の不足量の一部を補充可能な在高を有する組み合わせとのうち、
いずれか１つ以上の組み合わせを、前記優先順位の第３順位の組み合わせとして用いることを特徴とする請求項５記載の現金処理システム。
【請求項７】
前記選択部は、２つ以上の組み合わせが同じ順位の組み合わせとして抽出された場合、前記２つ以上の組み合わせの中から、前記第１現金処理装置と前記第２現金処理装置との間で補充用現金を移動させることが可能な組み合わせの個数が最大となるように、複数の組み合わせを選択することを特徴とする請求項４乃至６のいずれか１項に記載の現金処理システム。
【請求項８】
前記選択部は、２つ以上の組み合わせが同じ順位の組み合わせとして抽出された場合、前記２つ以上の組み合わせの中から、前記第１現金処理装置と前記第２現金処理装置との間で補充用現金を移動させた後の不足量が最小となる組み合わせを選択することを特徴とする請求項４乃至６のいずれか１項に記載の現金処理システム。
【請求項９】
前記制御装置は、前記所定の組み合わせを画面上に表示する表示部と、前記所定の組み合わせに含まれる第１現金処理装置と前記所定の組み合わせに含まれる第２現金処理装置との間で回金を実行する指示を受け付ける受付部とをさらに含み、
前記移動指示部は、前記受付部が前記回金を実行する指示を受け付けた場合、前記第２現金処理装置に対する移動指示と、前記第１現金処理装置に対する移動指示とを出力することを特徴とする請求項２乃至８のいずれか１項に記載の現金処理システム。
【請求項１０】
複数の現金処理装置に収納されている現金の在高を制御する制御装置であって、
前記複数の現金処理装置各々は、
複数の金種それぞれの現金を金種別に収納する金種別収納庫と、
前記複数の金種のうち１種以上の金種の現金を収納し、他の現金処理装置との間で交換される交換収納庫と、
前記金種別収納庫と前記交換収納庫との間で現金を移動させる移動制御部とを備え、
前記制御装置は、
前記複数の現金処理装置それぞれの前記金種別収納庫に収納されている現金の在高と、前記複数の現金処理装置それぞれの前記交換収納庫に収納されている現金の在高とを含む、在高情報を記憶する記憶部と、
前記在高情報に基づいて、前記複数の現金処理装置の中から、いずれかの金種の在高が残値金の設定値未満である第１現金処理装置と、前記第１現金処理装置に対して不足量の一部又は全部を補充可能な在高を有する第２現金処理装置との組み合わせを抽出し、前記第２現金処理装置が補充可能な補充量に基づいて、抽出した組み合わせの中から所定の組み合わせを選択する選択部と、
前記所定の組み合わせに含まれる第１現金処理装置及び第２現金処理装置に対して、現金を移動させる移動指示を出力する移動指示部とを備えることを特徴とする制御装置。
【請求項１１】
複数の現金処理装置に収納されている現金の在高を制御するコンピュータにより実行される制御方法であって、
前記複数の現金処理装置各々は、
複数の金種それぞれの現金を金種別に収納する金種別収納庫と、
前記複数の金種のうち１種以上の金種の現金を収納し、他の現金処理装置との間で交換される交換収納庫と、
前記金種別収納庫と前記交換収納庫との間で現金を移動させる移動制御部とを備え、
前記コンピュータは、
前記複数の現金処理装置それぞれの前記金種別収納庫に収納されている現金の在高と、前記複数の現金処理装置それぞれの前記交換収納庫に収納されている現金の在高とを含む、在高情報に基づいて、前記複数の現金処理装置の中から、いずれかの金種の在高が残値金の設定値未満である第１現金処理装置と、前記第１現金処理装置に対して不足量の一部又は全部を補充可能な在高を有する第２現金処理装置との組み合わせを抽出し、
前記第２現金処理装置が補充可能な補充量に基づいて、抽出した組み合わせの中から所定の組み合わせを選択し、
前記所定の組み合わせに含まれる第１現金処理装置及び第２現金処理装置に対して、現金を移動させる移動指示を出力する、
ことを特徴とする制御方法。
【発明の詳細な説明】
【技術分野】
【０００１】
本発明は、現金処理システム、制御装置、及び制御方法に関する。
【背景技術】
【０００２】
銀行の営業店には、現金自動預払機（ＡＴＭ）、両替機、出納機等の様々な現金処理装置が設置されている。これらの現金処理装置は、現金を取り扱う業務で使用される。
【０００３】
各営業店では、１日の業務の準備として、朝又は締後の回金業務により、各現金処理装置内に収納されている残置金の適正化が図られる。残置金は、業務開始前に現金処理装置内に準備される現金であり、その金額は、残置金額と呼ばれる。業務中に現金処理装置内の現金が足りなくなった場合にも、回金業務が行われることがある。
【０００４】
回金業務では、従業員によって特定の現金処理装置から大量の現金が手作業で回収され、他の現金処理装置へ移されることがある。銀行における運用方法にもよるが、従業員が現金を手で触れる場合は、伝票に移動金額を記載し、上司の承認を受けてから回金業務が行われることが多い。
【０００５】
現金処理装置に関して、現金自動取引装置間での紙幣量の過不足を自動的に解消し、紙幣量の平準化を自動的に行うことが可能な紙幣処理制御装置が知られている（例えば、特許文献１を参照）。現金自動取引装置へのカセットの着脱操作の自動化が可能なアクチュエータも知られている（例えば、特許文献２を参照）。
【先行技術文献】
【特許文献】
【０００６】
【特許文献１】特開平８−３２９３１８号公報
【特許文献２】特開平８−２８７３１６号公報
【発明の概要】
【発明が解決しようとする課題】
【０００７】
上述した従来の回金業務には、次のような問題がある。
【０００８】
銀行における回金業務では、大量の現金を手作業で回収するため、現金を専門的に扱う出納係が回金業務を行うことが多い。また、大量の現金を手で扱うと、現金不足（紛失）又は現金過剰のような現金事故のリスクが高まる。現金事故が発生した場合は、現金在高の値を合わせるために、紛失原因、過剰原因等の調査が行われる。この調査には長い時間がかかることがある。
【０００９】
したがって、できるだけ現金を手で触れることなく、現金処理装置に対する回金業務を行うことが望ましい。
【００１０】
なお、かかる問題は、銀行における回金業務に限らず、現金を取り扱う他の業種における回金業務においても生ずるものである。
【００１１】
１つの側面において、本発明は、現金処理装置内の残置金を適正化する回金業務において、現金事故のリスクを低減することを目的とする。
【課題を解決するための手段】
【００１２】
第１の側面において、現金処理システムは、複数の現金処理装置と、それらの現金処理装置に収納されている現金の在高を制御する制御装置とを含む。
【００１３】
複数の現金処理装置各々は、金種別収納庫、交換収納庫、及び移動制御部を含む。金種別収納庫は、複数の金種それぞれの現金を金種別に収納する。交換収納庫は、複数の金種のうち１種以上の金種の現金を収納し、他の現金処理装置との間で交換される。移動制御部は、金種別収納庫と交換収納庫との間で現金を移動させる。
【００１４】
制御装置は、記憶部、選択部、及び移動指示部を含む。記憶部は、複数の現金処理装置それぞれの金種別収納庫に収納されている現金の在高と、複数の現金処理装置それぞれの交換収納庫に収納されている現金の在高とを含む、在高情報を記憶する。
【００１５】
選択部は、在高情報に基づいて、複数の現金処理装置の中から、いずれかの金種の在高が残値金の設定値未満である第１現金処理装置と、第１現金処理装置に対して不足量の一部又は全部を補充可能な在高を有する第２現金処理装置との組み合わせを抽出する。そして、選択部は、第２現金処理装置が補充可能な補充量に基づいて、抽出した組み合わせの中から所定の組み合わせを選択する。
【００１６】
移動指示部は、所定の組み合わせに含まれる第１現金処理装置及び第２現金処理装置に対して、現金を移動させる移動指示を出力する。
【００１７】
第２の側面において、制御装置は、記憶部、選択部、及び移動指示部を含み、複数の現金処理装置に収納されている現金の在高を制御する。
【００１８】
複数の現金処理装置各々は、金種別収納庫、交換収納庫、及び移動制御部を含む。金種別収納庫は、複数の金種それぞれの現金を金種別に収納する。交換収納庫は、複数の金種のうち１種以上の金種の現金を収納し、他の現金処理装置との間で交換される。移動制御部は、金種別収納庫と交換収納庫との間で現金を移動させる。
【００１９】
記憶部は、複数の現金処理装置それぞれの金種別収納庫に収納されている現金の在高と、複数の現金処理装置それぞれの交換収納庫に収納されている現金の在高とを含む、在高情報を記憶する。
【００２０】
選択部は、在高情報に基づいて、複数の現金処理装置の中から、いずれかの金種の在高が残値金の設定値未満である第１現金処理装置と、第１現金処理装置に対して不足量の一部又は全部を補充可能な在高を有する第２現金処理装置との組み合わせを抽出する。そして、選択部は、第２現金処理装置が補充可能な補充量に基づいて、抽出した組み合わせの中から所定の組み合わせを選択する。
【００２１】
移動指示部は、所定の組み合わせに含まれる第１現金処理装置及び第２現金処理装置に対して、現金を移動させる移動指示を出力する。
【００２２】
第３の側面において、複数の現金処理装置各々は、金種別収納庫、交換収納庫、及び移動制御部を含む。金種別収納庫は、複数の金種それぞれの現金を金種別に収納する。交換収納庫は、複数の金種のうち１種以上の金種の現金を収納し、他の現金処理装置との間で交換される。移動制御部は、金種別収納庫と交換収納庫との間で現金を移動させる。そして、それらの現金処理装置に収納されている現金の在高を制御するコンピュータは、以下の（１）〜（３）の処理を行う。
【００２３】
（１）コンピュータは、在高情報に基づいて、複数の現金処理装置の中から、第１現金処理装置と第２現金処理装置との組み合わせを抽出する。在高情報は、複数の現金処理装置それぞれの金種別収納庫に収納されている現金の在高と、複数の現金処理装置それぞれの交換収納庫に収納されている現金の在高とを含む。第１現金処理装置は、いずれかの金種の在高が残値金の設定値未満である現金処理装置であり、第２現金処理装置は、第１現金処理装置に対して不足量の一部又は全部を補充可能な在高を有する現金処理装置である。
（２）コンピュータは、第２現金処理装置が補充可能な補充量に基づいて、抽出した組み合わせの中から所定の組み合わせを選択する。
（３）コンピュータは、所定の組み合わせに含まれる第１現金処理装置及び第２現金処理装置に対して、現金を移動させる移動指示を出力する。
【発明の効果】
【００２４】
実施形態によれば、現金処理装置内の残置金を適正化する回金業務において、現金事故のリスクを低減することができる。
【図面の簡単な説明】
【００２５】
【図１】現金処理システムの機能的構成図である。
【図２】制御処理のフローチャートである。
【図３】現金処理システムの構成図である。
【図４】現金処理装置の構成図である。
【図５】制御装置の機能的構成図である。
【図６】在高情報を示す図である。
【図７】混合及び金種別のデータを加算した結果を示す図である。
【図８】補充可否情報を示す図である。
【図９】現金機の組み合わせを示す図である。
【図１０】混合カセットから金種別カセットへ現金を移動させた後の在高情報を示す図である。
【図１１】回収側装置が補充用現金を移動させた後の在高情報を示す図である。
【図１２】混合カセットが交換された後の在高情報を示す図である。
【図１３】補充側装置が補充用現金を移動させた後の在高情報を示す図である。
【図１４Ａ】制御処理の具体例を示すフローチャート（その１）である。
【図１４Ｂ】制御処理の具体例を示すフローチャート（その２）である。
【図１４Ｃ】制御処理の具体例を示すフローチャート（その３）である。
【図１４Ｄ】制御処理の具体例を示すフローチャート（その４）である。
【図１４Ｅ】制御処理の具体例を示すフローチャート（その５）である。
【図１５】初期画面を示す図である。
【図１６】選択画面を示す図である。
【図１７】大型現金処理装置間における混合カセットの交換を示す図である。
【図１８】小型現金処理装置間における混合カセットの交換を示す図である。
【図１９】大型現金処理装置と小型現金処理装置の間における混合カセットの交換を示す図である。
【図２０】特殊現金処理装置間における混合カセットの交換を示す図である。
【図２１】情報処理装置の構成図である。
【発明を実施するための形態】
【００２６】
以下、図面を参照しながら、実施形態を詳細に説明する。
【００２７】
図１は、実施形態の現金処理システムの機能的構成例を示している。図１の現金処理システムは、現金処理装置１０１−１〜現金処理装置１０１−Ｎ（Ｎは２以上の整数）及び制御装置１０２を含む。
【００２８】
各現金処理装置１０１−ｉ（ｉ＝１〜Ｎ）は、金種別収納庫１１１−１〜金種別収納庫１１１−Ｍ（Ｍは２以上の整数）、交換収納庫１１２、及び移動制御部１１３を含む。金種別収納庫１１１−１〜金種別収納庫１１１−Ｍは、Ｍ種の金種それぞれの現金を金種別に収納する。交換収納庫１１２は、１種以上の金種の現金を収納し、他の現金処理装置との間で交換される。移動制御部１１３は、金種別収納庫１１１−ｊ（ｊ＝１〜Ｍ）と交換収納庫１１２との間で現金を移動させる。
【００２９】
制御装置１０２は、記憶部１２１、選択部１２２、及び移動指示部１２３を含む。記憶部１２１は、各現金処理装置１０１−ｉの金種別収納庫１１１−１〜金種別収納庫１１１−Ｍに収納されている現金の在高と、各現金処理装置１０１−ｉの交換収納庫１１２に収納されている現金の在高とを含む、在高情報１３１を記憶する。
【００３０】
図２は、図１の制御装置１０２が行う制御処理の例を示すフローチャートである。まず、選択部１２２は、在高情報１３１に基づいて、現金処理装置１０１−１〜現金処理装置１０１−Ｎの中から、第１現金処理装置と第２現金処理装置との組み合わせを抽出する（ステップ２０１）。第１現金処理装置は、いずれかの金種の在高が残値金の設定値未満である現金処理装置であり、第２現金処理装置は、第１現金処理装置に対して不足量の一部又は全部を補充可能な在高を有する現金処理装置である。
【００３１】
次に、選択部１２２は、第２現金処理装置が補充可能な補充量に基づいて、抽出した組み合わせの中から所定の組み合わせを選択する（ステップ２０２）。
【００３２】
移動指示部１２３は、所定の組み合わせに含まれる第１現金処理装置及び第２現金処理装置に対して、現金を移動させる移動指示を出力する（ステップ２０３）。
【００３３】
図１の現金処理システムによれば、現金処理装置内の残置金を適正化する回金業務において、現金事故のリスクを低減することができる。
【００３４】
図３は、図１の現金処理システムの構成例を示している。図３の現金処理システムは、例えば、銀行において現金を取り扱う業務で使用され、現金処理装置３０１−１〜現金処理装置３０１−Ｎ及び制御装置３０２を含む。制御装置３０２は、通信ネットワーク３０３を介して、現金処理装置３０１−１〜現金処理装置３０１−Ｎと通信する。
【００３５】
現金処理装置３０１−１〜現金処理装置３０１−Ｎは、ＡＴＭ、両替機、出納機等であり、同じ営業店に設置されていてもよく、複数の営業店に分散して設置されていてもよい。制御装置３０２は、営業店内に設置された端末装置であってもよく、サーバであってもよい。現金処理装置３０１−ｉは、図１の現金処理装置１０１−ｉに対応し、制御装置３０２は、制御装置１０２に対応する。
【００３６】
図４は、図３の現金処理装置３０１−ｉの構成例を示している。図４の現金処理装置３０１−ｉは、金種別カセット４０１−１〜金種別カセット４０１−Ｍ、混合カセット４０２、一時保留カセット４０３、移動制御部４０４、及び記憶部４０５を含む。金種別カセット４０１−１〜金種別カセット４０１−Ｍ、混合カセット４０２、及び移動制御部４０４は、図１の金種別収納庫１１１−１〜金種別収納庫１１１−Ｍ、交換収納庫１１２、及び移動制御部１１３にそれぞれ対応する。
【００３７】
金種別カセット４０１−１〜金種別カセット４０１−Ｍは、Ｍ種の金種それぞれの現金を金種別に収納する。現金は、紙幣であってもよく、硬貨であってもよい。混合カセット４０２及び一時保留カセット４０３は、複数種類の現金を混合して収納することができる。
【００３８】
混合カセット４０２には、汚損紙幣、オーバフローした紙幣又は硬貨、旧紙幣、旧硬貨、二千円紙幣等も収納される。また、混合カセット４０２は、他の現金処理装置の混合カセット４０２と交換することができる。一時保留カセット４０３は、いずれかの金種の現金を一時的に収納する。
【００３９】
移動制御部４０４は、金種別カセット４０１−１〜金種別カセット４０１−Ｍ、混合カセット４０２、及び一時保留カセット４０３の間で現金を移動させる制御を行う。記憶部４０５は、金種別カセット４０１−１〜金種別カセット４０１−Ｍ、混合カセット４０２、及び一時保留カセット４０３それぞれに収納されている現金の在高を示す在高情報４１１を記憶する。
【００４０】
図５は、図３の制御装置３０２の機能的構成例を示している。図５の制御装置３０２は、記憶部５０１、在高抽出部５０２、組み合わせ抽出部５０３、決定部５０４、装填制御部５０５、表示部５０６、及び受付部５０７を含む。記憶部５０１及び装填制御部５０５は、図１の記憶部１２１及び移動指示部１２３にそれぞれ対応し、組み合わせ抽出部５０３及び決定部５０４は、選択部１２２に対応する。
【００４１】
記憶部５０１は、現金処理装置３０１−１〜現金処理装置３０１−Ｎそれぞれに収納されている現金の在高を示す在高情報５１１を記憶する。在高情報５１１は、図１の在高情報１３１に対応する。在高抽出部５０２は、各現金処理装置３０１−ｉから在高情報４１１を取得して、記憶部５０１の在高情報５１１に記録する。
【００４２】
組み合わせ抽出部５０３は、各現金処理装置３０１−ｉを基準装置として用い、現金処理装置３０１−１〜現金処理装置３０１−Ｎ各々を他装置として用いて、基準装置と他装置の組み合わせを生成する。そして、組み合わせ抽出部５０３は、在高情報５１１に基づいて、各組み合わせのステータスを決定し、決定したステータスを示す補充可否情報５１２を記憶部５０１に格納する。組み合わせのステータスとしては、例えば、以下のようなものを用いることができる。
【００４３】
（ａ）全補充可
基準装置において１種以上の金種の在高が残値金の設定値に対して不足しており、不足しているすべての金種について、他装置が不足量の全部を補充可能な在高を有する。残値金の設定値としては、例えば、営業店によって設定される適正値が用いられる。
【００４４】
（ｂ）一部補充可
（ｂ１）基準装置において１種以上の金種の在高が残値金の設定値に対して不足しており、不足している一部の金種について、他装置が不足量の全部又は一部を補充可能な在高を有する。
（ｂ２）基準装置において１種以上の金種の在高が残値金の設定値に対して不足しており、不足しているすべての金種について、他装置が不足量の一部を補充可能な在高を有する。
【００４５】
（ｃ）補充不可
（ｃ１）基準装置において１種以上の金種の在高が残値金の設定値に対して不足しており、不足しているすべての金種について、他装置が不足量を補充不可能な在高を有する。
（ｃ２）基準装置においてすべての金種の在高が残値金の設定値以上であり、他装置から現金を補充する必要がない。
【００４６】
（ｄ）補充対象外
基準装置及び他装置が同じ現金処理装置である。
【００４７】
なお、一部補充可については、補充量の閾値（設定値）を設けて、他装置が閾値以上の現金を補充可能な場合に、不足量の一部を補充可能であると判定してもよい。例えば、紙幣であれば１００枚、硬貨であれば５０枚を、金種毎の閾値として用いることができる。
【００４８】
次に、組み合わせ抽出部５０３は、補充可否情報５１２に基づいて、補充側装置と回収側装置の組み合わせを抽出し、抽出した組み合わせを示す組み合わせ情報５１３を記憶部５０１に格納する。補充側装置は、１種以上の金種の在高が残値金の設定値に対して不足している現金処理装置であり、回収側装置は、補充側装置に対して不足量の一部又は全部を補充可能な在高を有する現金処理装置である。組み合わせに含まれる２台の現金処理装置各々が、他方の現金処理装置に対して、補充側装置及び回収側装置の両方の役割を果たすこともある。
【００４９】
決定部５０４は、組み合わせ情報５１３が示す組み合わせに含まれる回収側装置が補充可能な補充量に基づいて、組み合わせに対する優先順位を決定する。優先順位としては、例えば、以下のようなものを用いることができる。
【００５０】
第１順位：（ＳＴ１，ＳＴ２）＝（全補充可，全補充可）
第２順位：（ＳＴ１，ＳＴ２）＝（一部補充可，全補充可）
（ＳＴ１，ＳＴ２）＝（補充不可，全補充可）
第３順位：（ＳＴ１，ＳＴ２）＝（一部補充可，一部補充可）
（ＳＴ１，ＳＴ２）＝（補充不可，一部補充可）
選択対象外：  （ＳＴ１，ＳＴ２）＝（補充不可，補充不可）
【００５１】
ＳＴ１は、組み合わせに含まれる一方の現金処理装置を基準装置とした場合のステータスを表し、ＳＴ２は、組み合わせに含まれる他方の現金処理装置を基準装置とした場合のステータスを表す。
【００５２】
第１順位の（全補充可，全補充可）は、２台の現金処理装置が相互に不足量の全部を補充可能であることを表す。この場合、これらの現金処理装置の間で混合カセット４０２を交換することで、双方の残値金を同時に適正値にすることが可能である。
【００５３】
第２順位の（一部補充可，全補充可）は、２台の現金処理装置のうち一方の現金処理装置が他方の現金処理装置の不足量の全部を補充可能であり、逆に、他方の現金処理装置が一方の現金処理装置の不足量の一部を補充可能であることを表す。（補充不可，全補充可）は、一方の現金処理装置のみが他方の現金処理装置の不足量の全部を補充可能であることを表す。
【００５４】
第３順位の（一部補充可，一部補充可）は、２台の現金処理装置が相互に不足量の一部のみを補充可能であることを表す。（補充不可，一部補充可）は、一方の現金処理装置のみが他方の現金処理装置の不足量の一部のみを補充可能であることを表す。
【００５５】
選択対象外の（補充不可，補充不可）は、２台の現金処理装置の間で現金を移動する必要がないことを表す。
【００５６】
次に、決定部５０４は、優先順位に従って所定の組み合わせを選択し、選択した組み合わせを回金対象に決定する。そして、決定部５０４は、回金対象の組み合わせを示す選択結果５１４を、記憶部５０１に格納する。この場合、第１順位の組み合わせが選択される確率が最も高く、第３順位の組み合わせが選択される確率が最も低くなる。
【００５７】
表示部５０６は、選択結果５１４が示す組み合わせと、その組み合わせに含まれる２台の現金処理装置の間で回金を実行した場合の各現金処理装置３０１−ｉの在高とを、画面上に表示する。利用者である出納係は、表示された在高を確認して、回金を実行するか否かを示す指示を受付部５０７に入力し、受付部５０７は、入力された指示を受け付ける。
【００５８】
受付部５０７が回金を実行する指示を受け付けた場合、装填制御部５０５は、選択結果５１４が示す組み合わせに含まれる２台の現金処理装置に対して、現金の移動を指示する。
【００５９】
まず、装填制御部５０５は、不足量の一部又は全部に相当する補充用現金を、金種別カセット４０１−ｊから混合カセット４０２へ移動させるように、回収側装置に対して指示する。そして、回収側装置の移動制御部４０４は、指示された補充用現金を、金種別カセット４０１−ｊから混合カセット４０２へ移動させる。その後、回収側装置と補充側装置の間で、自動搬送又は手作業によって、混合カセット４０２が交換される。
【００６０】
自動搬送の場合、装填制御部５０５は、不図示の自動搬送機構に対して、回収側装置と補充側装置の間で混合カセット４０２を交換するように指示する。自動搬送機構は、回収側装置及び補充側装置それぞれから混合カセット４０２を取り外し、回収側装置から取り外した混合カセット４０２を補充側装置に装着し、補充側装置から取り外した混合カセット４０２を回収側装置に装着する。これにより、回収側装置と補充側装置の間で混合カセット４０２が交換される。一方、手作業の場合、出納係が回収側装置と補充側装置の間で混合カセット４０２を交換する。
【００６１】
混合カセット４０２の交換が完了した後、装填制御部５０５は、混合カセット４０２から金種別カセット４０１−ｊへ補充用現金を移動させるように、補充側装置に対して指示する。そして、補充側装置の移動制御部４０４は、混合カセット４０２から金種別カセット４０１−ｊへ補充用現金を移動させる。
【００６２】
装填制御部５０５は、混合カセット４０２に収納されている現金を一時保留カセット４０３に移動させて再計数するように、移動制御部４０４に対して指示することもできる。
【００６３】
図３の現金処理システムによれば、混合カセット４０２の交換によって現金処理装置間での回金を実現することで、出納係が現金を直接手で触れることなく、現金を移動することが可能になる。これにより、現金処理装置内の残置金を適正化する回金業務において、現金事故のリスクが低減される。また、出納係が現金を手で触れることがないため、銀行によっては、回金業務に伴う伝票処理をなくすこともできる。
【００６４】
上述した優先順位が示すように、ステータスが全補充可又は一部補充可である組み合わせを、回金対象として優先的に選択することで、混合カセット４０２の交換を１回行うだけでも、効率良く回金を実行することが可能になる。さらに、決定部５０４は、次のような選択基準に基づいて、回金対象の組み合わせを選択することもできる。
【００６５】
（Ｓ１）決定部５０４は、優先順位の上位から順番に、できるだけ多数の組み合わせを選定する。例えば、同じ順位の２つ以上の組み合わせが抽出された場合、それらの組み合わせの中から、補充用現金を移動させることが可能な組み合わせの個数が最大となるように、複数の組み合わせが選択される。
（Ｓ２）組み合わせの個数が同じである場合、決定部５０４は、現金処理装置３０１−１〜現金処理装置３０１−Ｎの識別番号の昇順に、組み合わせを選択する。
（Ｓ３）決定部５０４は、現金処理装置間で回金を実行した後の不足量ができるだけ少ない組み合わせを選択する。例えば、同じ順位の２つ以上の組み合わせが抽出された場合、それらの組み合わせの中から、現金処理装置間で補充用現金を移動させた後の不足量が最小となる組み合わせが選択される。
【００６６】
次に、図６から図１３までを参照しながら、図３の現金処理システムにおける制御処理の具体例について説明する。この例では、Ｎ＝７であり、現金処理装置３０１−１〜現金処理装置３０１−７の識別番号は、それぞれ、００１〜００７である。以下では、現金処理装置３０１−１〜現金処理装置３０１−７を、それぞれ、現金機００１〜現金機００７と記載することがある。
【００６７】
図６は、在高抽出部５０２によって生成された在高情報５１１の例を示している。図６の在高情報５１１は、現金機００１〜現金機００７それぞれの在高情報を含み、各現金機の在高情報は、５種類の金種の在高を含む。“万”は一万円紙幣を表し、“五”は五千円紙幣を表し、“千”は千円紙幣を表し、“二千”は二千円紙幣を表し、“旧券”は旧紙幣を表す。
【００６８】
この例では、Ｍ＝３であり、一万円紙幣、五千円紙幣、及び千円紙幣が、金種別カセット４０１−１、金種別カセット４０１−２、及び金種別カセット４０１−３にそれぞれ収納されている。二千円紙幣及び旧紙幣は、金種別カセット４０１−ｊではなく、混合カセット４０２に収納されている。
【００６９】
最大値は、各現金機の１個のカセットに収納される紙幣の上限枚数を表し、最大値を超える紙幣は、オーバフローした紙幣として扱われる。適正値は、各現金機の各金種に対して銀行により設定された、残値金の適正値を表す。
【００７０】
金種別は、各現金機の各金種別カセット４０１−ｊに収納されている紙幣の枚数（在高）を表す。混合は、各現金機の混合カセット４０２に収納されている紙幣の枚数を表し、一時保留は、各現金機の一時保留カセット４０３に収納されている紙幣の枚数を表す。
【００７１】
例えば、現金機００１における一万円紙幣、五千円紙幣、及び千円紙幣の適正値は、いずれも１０００枚であり、一万円紙幣、五千円紙幣、及び千円紙幣の金種別カセット４０１−ｊ内の在高は、それぞれ、１００枚、４００枚、及び１２００枚である。混合カセット４０２内の一万円紙幣、五千円紙幣、千円紙幣、二千円紙幣、及び旧紙幣の在高は、それぞれ、２００枚、２００枚、２００枚、１００枚、及び５００枚である。
【００７２】
組み合わせ抽出部５０３は、図６の在高情報５１１の混合のデータを金種別のデータに加算することで、各現金機の金種別カセット４０１−ｊ及び混合カセット４０２に収納されている紙幣の総数を求める。
【００７３】
図７は、図６の在高情報５１１において、混合及び金種別のデータを加算した結果を示している。例えば、現金機００１における一万円紙幣については、混合の２００枚が金種別の１００枚に加算された結果、金種別のデータは３００枚となり、混合のデータは０枚となる。この場合、金種別の３００枚は、適正値の１０００枚に対して７００枚不足している。
【００７４】
五千円紙幣については、混合の２００枚が金種別の４００枚に加算された結果、金種別のデータは６００枚となり、混合のデータは０枚となる。この場合、金種別の６００枚は、適正値の１０００枚に対して４００枚不足している。
【００７５】
千円紙幣については、混合の２００枚が金種別の１２００枚に加算された結果、金種別のデータは１４００枚となり、混合のデータは０枚となる。この場合、金種別の１４００枚は、適正値の１０００枚よりも４００枚だけ多いため、この４００枚が他の現金機に対する補充可能量となる。
【００７６】
現金機００６における五千円紙幣については、混合の１０００枚が金種別の２４００枚に加算された結果、金種別のデータが３４００枚となり、最大値の３０００枚を超える。このため、金種別のデータには３０００枚のみが残され、オーバフローした４００枚は一時保留のデータに記録される。
【００７７】
なお、混合のデータに含まれる二千円紙幣及び旧紙幣の枚数は、混合のデータから一時保留のデータに移されている。オーバフローした紙幣、二千円紙幣、及び旧紙幣は、混合カセット４０２に収納されるが、現金機間で混合カセット４０２の交換を行う際には、混合カセット４０２から一時保留カセット４０３へ移される。このため、図７の在高情報５１１では、これらの紙幣の枚数が一時保留のデータに記録されている。
【００７８】
組み合わせ抽出部５０３は、図７の在高情報５１１に基づいて、２台の現金機の組み合わせに対するステータスを決定し、決定したステータスを示す補充可否情報５１２を生成する。
【００７９】
図８は、図７の在高情報５１１から生成された補充可否情報５１２の例を示している。図８の補充可否情報５１２は、現金機００１〜現金機００７それぞれを基準装置とする補充可否情報を含み、各現金機を基準装置とする補充可否情報は、現金機００１〜現金機００７それぞれを他装置とした場合のステータスを含む。
【００８０】
図７の在高情報５１１において、一万円紙幣、五千円紙幣、又は千円紙幣の金種別のデータが適正値未満である場合、適正値から金種別のデータを減算することで、不足量が求められる。一方、一万円紙幣、五千円紙幣、又は千円紙幣の金種別のデータが適正値以上である場合、金種別のデータから適正値を減算することで、補充可能量が求められる。この場合の不足量は０枚とみなされる。
【００８１】
例えば、現金機００１を基準装置とする補充可否情報において、他装置が現金機００１である場合のステータスは補充対象外である。
【００８２】
他装置が現金機００２である場合、一万円紙幣については、現金機００１の不足量は７００枚であり、現金機００２の補充可能量は１２００枚である。したがって、現金機００２は、現金機００１における一万円紙幣の不足量の全部を補充可能である。五千円紙幣については、現金機００１の不足量は４００枚であり、現金機００２の不足量は１００枚である。したがって、現金機００２は、現金機００１における五千円紙幣の不足量を補充不可能である。千円紙幣については、現金機００１の不足量は０枚であるため、補充する必要がない。
【００８３】
以上より、現金機００１で不足している一部の金種について、現金機００２が不足量の全部を補充可能な在高を有するため、ステータスは一部補充可となる。他装置が現金機００４、現金機００５、又は現金機００６である場合のステータスも一部補充可である。
【００８４】
他装置が現金機００３である場合、一万円紙幣については、現金機００１の不足量は７００枚であり、現金機００３の補充可能量は９００枚である。したがって、現金機００３は、現金機００１における一万円紙幣の不足量の全部を補充可能である。五千円紙幣については、現金機００１の不足量は４００枚であり、現金機００３の補充可能量は１４００枚である。したがって、現金機００３は、現金機００１における五千円紙幣の不足量の全部を補充可能である。千円紙幣については、現金機００１の不足量は０枚であるため、補充する必要がない。
【００８５】
以上より、現金機００１で不足しているすべての金種について、現金機００３が不足量の全部を補充可能な在高を有するため、ステータスは全補充可となる。
【００８６】
他装置が現金機００７である場合、一万円紙幣については、現金機００１の不足量は７００枚であり、現金機００７の補充可能量は０枚である。したがって、現金機００７は、現金機００１における一万円紙幣の不足量を補充不可能である。五千円紙幣については、現金機００１の不足量は４００枚であり、現金機００７の不足量は１４００枚である。したがって、現金機００７は、現金機００１における五千円紙幣の不足量を補充不可能である。千円紙幣については、現金機００１の不足量は０枚であるため、補充する必要がない。
【００８７】
以上より、現金機００１で不足しているすべての金種について、現金機００７が不足量を補充不可能な在高を有するため、ステータスは補充不可となる。
【００８８】
組み合わせ抽出部５０３は、図８の補充可否情報５１２に基づいて、補充側装置と回収側装置の組み合わせを抽出し、抽出した組み合わせを示す組み合わせ情報５１３を生成する。
【００８９】
図９は、図８の補充可否情報５１２から抽出された２台の現金機の組み合わせの例を示している。この例では、上述した優先順位における第１順位〜第３順位及び選択対象外の組み合わせが抽出されている。このうち、第１順位〜第３順位の組み合わせが組み合わせ情報５１３に対応する。
【００９０】
各組み合わせの括弧内の数字は、現金機の識別番号を表す。ただし、括弧内における識別番号の順序は特に区別されておらず、識別番号の順序が入れ替わっても、同じステータスの組み合わせを表すものとする。ＳＴ１は、括弧内のいずれか一方の識別番号が示す現金機を基準装置とした場合のステータスを表し、ＳＴ２は、括弧内の他方の識別番号が示す現金機を基準装置とした場合のステータスを表す。
【００９１】
例えば、第１順位の（全補充可，全補充可）に属する組み合わせ（００１，００３）は、現金機００１と現金機００３の組み合わせを表す。第１順位の（全補充可，全補充可）には、（００１，００３）、（００２，００３）、及び（００２，００５）の３個の組み合わせが含まれている。
【００９２】
第２順位の（一部補充可，全補充可）及び（補充不可，全補充可）には、１個の組み合わせがそれぞれ含まれている。第３順位の（一部補充可，一部補充可）には、３個の組み合わせが含まれており、（補充不可，一部補充可）には、１０個の組み合わせが含まれている。選択対象外の（補充不可，補充不可）には、３個の組み合わせが含まれている。
【００９３】
決定部５０４は、図９の優先順位及び選択基準（Ｓ１）〜選択基準（Ｓ３）に従って、回金対象の組み合わせを選択する。これにより、効率良く回金を実行することが可能な組み合わせを、自動的に選択することができる。
【００９４】
まず、第１順位の３個の組み合わせに対して、選択基準（Ｓ１）を適用することで、（００１，００３）及び（００２，００５）が回金対象の組み合わせとして選択される。（００２，００３）は、（００１，００３）及び（００２，００５）と重複する現金機を含んでいるため、選択されない。
【００９５】
第２順位の（００３，００７）は、既に選択された（００１，００３）と重複する現金機を含んでいるため、選択されない。第２順位の（００２，００６）は、既に選択された（００２，００５）と重複する現金機を含んでいるため、選択されない。
【００９６】
次に、第３順位の１３個の組み合わせの中から、既に選択された（００１，００３）及び（００２，００５）と重複する現金機を含んでいない組み合わせとして、（００４，００６）及び（００４，００７）が抽出される。そして、これらの組み合わせに対して、選択基準（Ｓ３）を適用することで、いずれか一方の組み合わせが選択される。
【００９７】
図７の在高情報５１１において、現金機００４の一万円紙幣の補充可能量は１５００枚であり、五千円紙幣の不足量は１４００枚であり、千円紙幣の不足量は１００枚である。現金機００６の一万円紙幣、五千円紙幣、及び千円紙幣の補充可能量は、それぞれ、４００枚、１０００枚、及び１００枚である。現金機００７の一万円紙幣の補充可能量は０枚であり、五千円紙幣の不足量は１４００枚であり、千円紙幣の補充可能量は１００枚である。
【００９８】
この場合、現金機００４と現金機００６の間で回金を実行すると、現金機００６から現金機００４へ、五千円紙幣１０００枚及び千円紙幣１００枚が補充され、各現金機における各金種の不足量は、次のようになる。
【００９９】
現金機００４  一万円紙幣  ０枚
五千円紙幣  ４００枚
千円紙幣  ０枚
現金機００６  一万円紙幣  ０枚
五千円紙幣  ０枚
千円紙幣  ０枚
現金機００７  一万円紙幣  ０枚
五千円紙幣  １４００枚
千円紙幣  ０枚
【０１００】
一方、現金機００４と現金機００７の間で回金を実行すると、現金機００７から現金機００４へ千円紙幣１００枚が補充され、各現金機における各金種の不足量は、次のようになる。
【０１０１】
現金機００４  一万円紙幣  ０枚
五千円紙幣  １４００枚
千円紙幣  ０枚
現金機００６  一万円紙幣  ０枚
五千円紙幣  ０枚
千円紙幣  ０枚
現金機００７  一万円紙幣  ０枚
五千円紙幣  １４００枚
千円紙幣  ０枚
【０１０２】
したがって、（００４，００７）よりも（００４，００６）の方が、現金機間で回金を実行した後の五千円紙幣の不足量が少なくなるため、（００４，００６）が回金対象の組み合わせとして選択される。
【０１０３】
このように、同じ現金機を含む同じ順位の組み合わせが複数個抽出された場合であっても、選択基準（Ｓ３）を適用することで、回金の効率が最大となる組み合わせを選択することができる。
【０１０４】
なお、各金種の不足量として、適正値から金種別のデータを減算した差分を用いる代わりに、適正値に対する差分の比率（誤差率）を用いて、選択基準（Ｓ３）を適用してもよい。
【０１０５】
決定部５０４は、回金対象の組み合わせとして選択した（００１，００３）、（００２，００５）、及び（００４，００６）を示す選択結果５１４を生成する。選択結果５１４が示す現金機間で回金を実行する指示が入力された場合、装填制御部５０５は、選択された現金機００１〜現金機００６に対して、混合カセット４０２から金種別カセット４０１−ｊへ現金を移動させるように指示する。
【０１０６】
図１０は、図６の在高情報５１１が示す状態において、現金機００１〜現金機００６が混合カセット４０２から金種別カセット４０１−ｊへ現金を移動させた後の在高情報５１１を示している。現金機００１〜現金機００６の在高情報は、図７に示した在高情報と同様であり、現金機００７の在高情報は、図６に示した在高情報と同様である。
【０１０７】
次に、装填制御部５０５は、補充用現金を金種別カセット４０１−ｊから混合カセット４０２へ移動させるように、回収側装置に対して指示する。そして、回収側装置の移動制御部４０４は、補充用現金を移動させる。
【０１０８】
図１１は、図１０の在高情報５１１が示す状態において、回収側装置が補充用現金を移動させた後の在高情報５１１を示している。現金機００１では、千円紙幣２００枚が金種別カセット４０１−ｊから混合カセット４０２へ移動しており、現金機００２では、一万円紙幣１０００枚が金種別カセット４０１−ｊから混合カセット４０２へ移動している。
【０１０９】
現金機００３では、一万円紙幣７００枚及び五千円紙幣４００枚が金種別カセット４０１−ｊから混合カセット４０２へ移動しており、現金機００５では、五千円紙幣１００枚が金種別カセット４０１−ｊから混合カセット４０２へ移動している。現金機００６では、五千円紙幣１０００枚及び千円紙幣１００枚が金種別カセット４０１−ｊから混合カセット４０２へ移動している。
【０１１０】
次に、回金対象の組み合わせに含まれる２台の現金機の間で、自動搬送又は手作業によって、混合カセット４０２が交換される。
【０１１１】
図１２は、図１１の在高情報５１１が示す状態において、現金機間で混合カセット４０２が交換された後の在高情報５１１を示している。図１２の在高情報５１１では、図１１の現金機００１と現金機００３の間で混合のデータが入れ替えられており、現金機００２と現金機００５の間で混合のデータが入れ替えられており、現金機００４と現金機００６の間で混合のデータが入れ替えられている。
【０１１２】
次に、装填制御部５０５は、混合カセット４０２から金種別カセット４０１−ｊへ補充用現金を移動させるように、補充側装置に対して指示する。そして、補充側装置の移動制御部４０４は、補充用現金を移動させる。
【０１１３】
図１３は、図１２の在高情報５１１が示す状態において、補充側装置が補充用現金を移動させた後の在高情報５１１を示している。現金機００１では、一万円紙幣７００枚及び五千円紙幣４００枚が混合カセット４０２から金種別カセット４０１−ｊへ移動しており、二千円紙幣１００枚及び旧紙幣５００枚が一時保留カセット４０３から混合カセット４０２へ移動している。
【０１１４】
現金機００２では、五千円紙幣１００枚が混合カセット４０２から金種別カセット４０１−ｊへ移動しており、二千円紙幣１００枚が一時保留カセット４０３から混合カセット４０２へ移動している。
【０１１５】
現金機００３では、千円紙幣２００枚が混合カセット４０２から金種別カセット４０１−ｊへ移動しており、二千円紙幣１００枚が一時保留カセット４０３から混合カセット４０２へ移動している。
【０１１６】
現金機００４では、五千円紙幣１０００枚及び千円紙幣１００枚が混合カセット４０２から金種別カセット４０１−ｊへ移動しており、二千円紙幣２０００枚及び旧紙幣９００枚が一時保留カセット４０３から混合カセット４０２へ移動している。
【０１１７】
現金機００５では、一万円紙幣１０００枚が混合カセット４０２から金種別カセット４０１−ｊへ移動しており、現金機００６では、五千円紙幣４００枚が一時保留カセット４０３から混合カセット４０２へ移動している。
【０１１８】
その結果、現金機００４の五千円紙幣を除いて、現金機００１〜現金機００６の各金種の金種別カセット４０１−ｊに収納されている現金の在高が、適正値以上になる。
【０１１９】
図１４Ａ〜図１４Ｅは、図５の制御装置３０２が行う制御処理の具体例を示すフローチャートである。まず、表示部５０６は、自動回金業務の初期画面を表示する。
【０１２０】
図１５は、初期画面の例を示している。図１５の初期画面は、確認ボタン１５０１を含む。出納係は、自動回金業務を開始する場合、ポインティングデバイス等を用いて確認ボタン１５０１を押下し、受付部５０７は、自動回金業務を開始する指示を受け付ける。
【０１２１】
受付部５０７が自動回金業務を開始する指示を受け付けた場合、在高抽出部５０２は、各現金処理装置３０１−ｉから在高情報４１１を取得して、在高情報５１１に記録する。これにより、例えば、図６に示したような在高情報５１１が生成される。
【０１２２】
次に、組み合わせ抽出部５０３は、在高情報５１１を用いて図１４Ａの処理を行う。組み合わせ抽出部５０３は、ｉ番目の現金処理装置３０１−ｉを示す制御変数ｉに１を設定し（ステップ１４０１）、ｊ番目の金種を示す制御変数ｊに１を設定する（ステップ１４０２）。
【０１２３】
そして、組み合わせ抽出部５０３は、現金処理装置３０１−ｉのｊ番目の金種の金種在高に、ｊ番目の金種の混合在高を加算することで、ｊ番目の金種の金種在高を更新する（ステップ１４０３）。ｊ番目の金種の金種在高は、金種別カセット４０１−ｊに収納されている現金の在高を表し、ｊ番目の金種の混合在高は、混合カセット４０２に収納されている、ｊ番目の金種の現金の在高を表す。以下では、ｊ番目の金種の金種在高を、単に金種在高と記載し、ｊ番目の金種の混合在高を、単に混合在高と記載することがある。
【０１２４】
次に、組み合わせ抽出部５０３は、金種在高を最大値と比較し（ステップ１４０４）、金種在高が最大値以下である場合（ステップ１４０４，ＹＥＳ）、その金種在高を在高情報５１１に記録する（ステップ１４０７）。
【０１２５】
一方、金種在高が最大値を超えている場合（ステップ１４０４，ＮＯ）、組み合わせ抽出部５０３は、ｊ番目の金種の一時保留在高を、金種在高から最大値を減算した結果に変更し（ステップ１４０５）、金種在高を最大値に変更する（ステップ１４０６）。ｊ番目の金種の一時保留在高は、一時保留カセット４０３に収納されることになる、ｊ番目の金種の現金の在高を表す。そして、組み合わせ抽出部５０３は、ｊ番目の金種の一時保留在高及び金種在高を在高情報５１１に記録する（ステップ１４０７）。
【０１２６】
次に、組み合わせ抽出部５０３は、ｊを１だけインクリメントして（ステップ１４０８）、ｊをＭと比較し（ステップ１４０９）、ｊがＭ以下である場合（ステップ１４０９，ＮＯ）、ステップ１４０３以降の処理を繰り返す。
【０１２７】
そして、ｊがＭを超えた場合（ステップ１４０９，ＹＥＳ）、組み合わせ抽出部５０３は、現金処理装置３０１−ｉの混合のデータに記録されている二千円紙幣及び旧紙幣の枚数を、一時保留のデータに変更する。
【０１２８】
次に、組み合わせ抽出部５０３は、ｉを１だけインクリメントして（ステップ１４１０）、ｉをＮと比較する（ステップ１４１１）。ｉがＮ以下である場合（ステップ１４１１，ＮＯ）、組み合わせ抽出部５０３は、ステップ１４０２以降の処理を繰り返す。
【０１２９】
ステップ１４０１〜ステップ１４１１の処理によって、図６の在高情報５１１が図７のように変更される。
【０１３０】
そして、ｉがＮを超えた場合（ステップ１４１１，ＹＥＳ）、組み合わせ抽出部５０３は、基準装置を示す制御変数としてｉを用い、ｉに１を設定する（ステップ１４１２）。次に、組み合わせ抽出部５０３は、他装置を示す制御変数ｋに１を設定する（ステップ１４１３）。
【０１３１】
次に、組み合わせ抽出部５０３は、ｉとｋを比較する（ステップ１４１４）。ｉ＝ｋである場合（ステップ１４１４，ＹＥＳ）、組み合わせ抽出部５０３は、現金処理装置３０１−ｉを基準装置とし、現金処理装置３０１−ｋを他装置とする、処理対象の組み合わせに対するステータスを、補充対象外に決定する（ステップ１４２３）。
【０１３２】
一方、ｉとｋが異なる場合（ステップ１４１４，ＮＯ）、組み合わせ抽出部５０３は、ｊ番目の金種を示す制御変数ｊに１を設定する（ステップ１４１５）。そして、組み合わせ抽出部５０３は、基準装置において、ｊ番目の金種の現金が充足しているか否かをチェックする（ステップ１４１６）。組み合わせ抽出部５０３は、ｊ番目の金種の金種在高から適正値を減算した結果が０以上である場合、現金が充足していると判定し、金種在高から適正値を減算した結果が０未満である場合、現金が不足していると判定する。
【０１３３】
現金が充足している場合（ステップ１４１６，ＹＥＳ）、組み合わせ抽出部５０３は、ｊを１だけインクリメントして（ステップ１４２１）、ｊをＭと比較する（ステップ１４２２）。ｊがＭ以下である場合（ステップ１４２２，ＮＯ）、組み合わせ抽出部５０３は、ステップ１４１６以降の処理を繰り返す。
【０１３４】
現金が不足している場合（ステップ１４１６，ＮＯ）、組み合わせ抽出部５０３は、不足量の全部を他装置が補充可能であるか否かをチェックする（ステップ１４１７）。このとき、組み合わせ抽出部５０３は、基準装置における適正値から金種在高を減算することで、不足量を求め、他装置における金種在高から適正値を減算することで、補充可能量を求める。そして、組み合わせ抽出部５０３は、補充可能量が不足量以上である場合、不足量の全部を他装置が補充可能であると判定し、補充可能量が不足量未満である場合、不足量の全部を他装置が補充可能ではないと判定する。
【０１３５】
不足量の全部を他装置が補充可能である場合（ステップ１４１７，ＹＥＳ）、組み合わせ抽出部５０３は、ｊ番目の金種のフラグＦＡ（ｊ）に１を設定し（ステップ１４１８）、ステップ１４２１以降の処理を行う。初期状態において、フラグＦＡ（ｊ）には０が設定されている。
【０１３６】
一方、不足量の全部を他装置が補充可能ではない場合（ステップ１４１７，ＮＯ）、組み合わせ抽出部５０３は、不足量の一部を他装置が補充可能であるか否かをチェックする（ステップ１４１９）。組み合わせ抽出部５０３は、補充可能量が０よりも大きい場合、不足量の一部を他装置が補充可能であると判定し、補充可能量が０以下である場合、不足量の一部を他装置が補充可能ではないと判定する。
【０１３７】
不足量の一部を他装置が補充可能である場合（ステップ１４１９，ＹＥＳ）、組み合わせ抽出部５０３は、フラグＦＰ（ｊ）に１を設定し（ステップ１４２０）、ステップ１４２１以降の処理を行う。初期状態において、フラグＦＰ（ｊ）には０が設定されている。
【０１３８】
一方、不足量の一部を他装置が補充可能ではない場合（ステップ１４１９，ＮＯ）、組み合わせ抽出部５０３は、フラグＦＰ（ｊ）に１を設定することなく、ステップ１４２１以降の処理を行う。
【０１３９】
そして、ｊがＭを超えた場合（ステップ１４２２，ＹＥＳ）、組み合わせ抽出部５０３は、すべての金種のフラグＦＡ（ｊ）及びフラグＦＰ（ｊ）の値をチェックし、次の条件Ｑ１が満たされるか否かを判定する（ステップ１４２４）。
Ｑ１：いずれか１つ以上の金種のフラグＦＡ（ｊ）が１であり、かつ、すべての金種のフラグＦＰ（ｊ）が０である。
【０１４０】
条件Ｑ１が満たされる場合（ステップ１４２４，ＹＥＳ）、組み合わせ抽出部５０３は、処理対象の組み合わせに対するステータスを、全補充可に決定する（ステップ１４２５）。
【０１４１】
一方、条件Ｑ１が満たされない場合（ステップ１４２４，ＮＯ）、組み合わせ抽出部５０３は、次の条件Ｑ２が満たされるか否かを判定する（ステップ１４２６）。
Ｑ２：すべての金種のフラグＦＡ（ｊ）及びフラグＦＰ（ｊ）のうち、いずれか１つ以上が１である。
【０１４２】
条件Ｑ２が満たされる場合（ステップ１４２６，ＹＥＳ）、組み合わせ抽出部５０３は、処理対象の組み合わせに対するステータスを、一部補充可に決定する（ステップ１４２７）。
【０１４３】
一方、条件Ｑ２が満たされない場合（ステップ１４２６，ＮＯ）、組み合わせ抽出部５０３は、処理対象の組み合わせに対するステータスを、補充不可に決定する（ステップ１４２８）。この場合、すべての金種のフラグＦＡ（ｊ）及びフラグＦＰ（ｊ）が０である。したがって、上述した（ｃ１）のすべての金種について他装置が不足量を補充不可能な在高を有する場合と、（ｃ２）の他装置から現金を補充する必要がない場合とが含まれている。
【０１４４】
次に、組み合わせ抽出部５０３は、決定したステータスを補充可否情報５１２に記録する（ステップ１４２９）。そして、組み合わせ抽出部５０３は、ｋを１だけインクリメントして（ステップ１４３０）、ｋをＮと比較する（ステップ１４３１）。ｋがＮ以下である場合（ステップ１４３１，ＮＯ）、組み合わせ抽出部５０３は、ステップ１４１４以降の処理を繰り返す。
【０１４５】
そして、ｋがＮを超えた場合（ステップ１４３１，ＹＥＳ）、組み合わせ抽出部５０３は、完了フラグＦＦ（ｉ）に１を設定する（ステップ１４３２）。初期状態において、完了フラグＦＦ（ｉ）には０が設定されている。
【０１４６】
次に、組み合わせ抽出部５０３は、完了フラグＦＦ（１）〜完了フラグＦＦ（Ｎ）の値をチェックする（ステップ１４３３）。完了フラグＦＦ（１）〜完了フラグＦＦ（Ｎ）のいずれかが０である場合（ステップ１４３３，ＮＯ）、組み合わせ抽出部５０３は、ｉを１だけインクリメントして（ステップ１４３４）、ステップ１４１３以降の処理を繰り返す。
【０１４７】
ステップ１４１２〜ステップ１４３４の処理によって、図７の在高情報５１１から図８の補充可否情報５１２が生成される。
【０１４８】
そして、完了フラグＦＦ（１）〜完了フラグＦＦ（Ｎ）のすべてが１になった場合（ステップ１４３３，ＹＥＳ）、組み合わせ抽出部５０３は、補充可否情報５１２に基づいて、第１順位の組み合わせの集合Ａを生成する（ステップ１４３５）。次に、組み合わせ抽出部５０３は、第２順位の組み合わせの集合Ｂを生成し（ステップ１４３６）、第３順位の組み合わせの集合Ｃを生成し（ステップ１４３７）、選択対象外の組み合わせの集合Ｄを生成する（ステップ１４３８）。例えば、図８の補充可否情報５１２を用いた場合、図９に示したように、次のような集合Ａ〜集合Ｄが生成される。
【０１４９】
Ａ＝｛（００１，００３），（００２，００３），（００２，００５）｝
Ｂ＝｛（００３，００７），（００２，００６）｝
Ｃ＝｛（００１，００４），（００３，００５），（００４，００５），
（００１，００２），（００１，００５），（００１，００６），
（００２，００４），（００３，００４），（００３，００６），
（００４，００６），（００４，００７），（００５，００６），
（００５，００７）｝
Ｄ＝｛（００１，００７），（００２，００７），（００６，００７）｝
【０１５０】
このうち、集合Ａ〜集合Ｃが組み合わせ情報５１３に対応する。次に、決定部５０４は、集合Ａの１つ以上の部分集合Ｘを生成する（ステップ１４３９）。このとき、決定部５０４は、各部分集合Ｘに他の部分集合Ｘの要素が含まれないように、１つ以上の部分集合Ｘを生成する。例えば、図９の第１順位の組み合わせの集合Ａからは、次のような部分集合Ｘが生成される。
【０１５１】
Ｘ＝｛（００１，００３），（００２，００５）｝
Ｘ＝｛（００２，００３）｝
【０１５２】
次に、決定部５０４は、要素数が最大の部分集合Ｘを、部分集合Ｘ１として選択する（ステップ１４４０）。要素数が最大の部分集合Ｘが複数個存在する場合、選択基準（Ｓ２）又は選択基準（Ｓ３）に従って、いずれかの部分集合Ｘが選択される。
【０１５３】
｛（００１，００３），（００２，００５）｝の要素数は２個であり、｛（００２，００３）｝の要素数は１個である。したがって、部分集合Ｘ１は、次のようになる。
【０１５４】
Ｘ１＝｛（００１，００３），（００２，００５）｝
【０１５５】
次に、決定部５０４は、集合Ｂの１つ以上の部分集合Ｙを生成する（ステップ１４４１）。このとき、決定部５０４は、部分集合Ｘ１に含まれる現金処理装置３０１−ｉが各部分集合Ｙに含まれないように、１つ以上の部分集合Ｙを生成する。
【０１５６】
次に、決定部５０４は、要素数が最大の部分集合Ｙを、部分集合Ｙ１として選択する（ステップ１４４２）。要素数が最大の部分集合Ｙが複数個存在する場合、選択基準（Ｓ２）又は選択基準（Ｓ３）に従って、いずれかの部分集合Ｙが選択される。
【０１５７】
図９の第２順位の組み合わせの集合Ｂの要素である、（００３，００７）及び（００２，００６）は、いずれも部分集合Ｘ１に含まれる現金処理装置３０１−ｉの識別番号を含んでいる。この場合、部分集合Ｙは生成されない。
【０１５８】
次に、決定部５０４は、集合Ｃの１つ以上の部分集合Ｚを生成する（ステップ１４４３）。このとき、決定部５０４は、部分集合Ｘ１及び部分集合Ｙ１に含まれる現金処理装置３０１−ｉが各部分集合Ｚに含まれないように、１つ以上の部分集合Ｚを生成する。図９の第３順位の組み合わせの集合Ｃからは、次のような部分集合Ｚが生成される。
【０１５９】
Ｚ＝｛（００４，００６）｝
Ｚ＝｛（００４，００７）｝
【０１６０】
次に、決定部５０４は、要素数が最大の部分集合Ｚを、部分集合Ｚ１として選択する（ステップ１４４４）。要素数が最大の部分集合Ｚが複数個存在する場合、選択基準（Ｓ２）又は選択基準（Ｓ３）に従って、いずれかの部分集合Ｚが選択される。
【０１６１】
｛（００４，００６）｝及び｛（００４，００７）｝の要素数はいずれも１個である。この場合、選択基準（Ｓ３）が適用され、部分集合Ｚ１は、次のようになる。
【０１６２】
Ｚ１＝｛（００４，００６）｝
【０１６３】
次に、決定部５０４は、部分集合Ｘ１、部分集合Ｙ１、及び部分集合Ｚ１に含まれる組み合わせを示す選択結果５１４を生成する（ステップ１４４５）。これにより、（００１，００３）、（００２，００５）、及び（００４，００６）を示す選択結果５１４が生成される。
【０１６４】
次に、決定部５０４は、選択結果５１４が示す組み合わせに含まれる２台の現金処理装置の間で回金を実行した場合の各現金処理装置３０１−ｉの在高を計算し、計算結果を用いて在高情報５１１を更新する（ステップ１４４６）。これにより、図７の在高情報５１１が図１３のように変更される。
【０１６５】
次に、表示部５０６は、選択結果５１４が示す組み合わせと更新後の在高情報５１１とを表示するとともに、回金を実行するか否かを選択するための選択画面を表示する（ステップ１４４７）。これにより、出納係は、回金対象の現金処理装置３０１−ｉの組み合わせと、回金実行後の各現金処理装置３０１−ｉの在高とを確認した上で、回金を実行するか否かを選択することができる。
【０１６６】
図１６は、選択画面の例を示している。図１６の選択画面は、実行ボタン１６０１及び戻るボタン１６０２を含む。出納係は、回金を実行する場合、ポインティングデバイス等を用いて実行ボタン１６０１を押下し、回金を実行しない場合、戻るボタン１６０２を押下する。
【０１６７】
次に、受付部５０７は、実行ボタン１６０１又は戻るボタン１６０２のいずれが押下されたかをチェックする（ステップ１４４８）。実行ボタン１６０１が押下された場合（ステップ１４４８，ＹＥＳ）、装填制御部５０５は、補充用現金を金種別カセット４０１−ｊから混合カセット４０２へ移動させるように、回収側装置に対して指示する（ステップ１４４９）。これにより、回収側装置の移動制御部４０４は、補充用現金を移動させる。
【０１６８】
さらに、装填制御部５０５は、混合カセット４０２に収納されているオーバフローした紙幣、二千円紙幣、及び旧紙幣を、一時保留カセット４０３へ移動させるように、回収側装置及び補充側装置に対して指示する。
【０１６９】
次に、選択結果５１４が示す組み合わせに含まれる２台の現金処理装置の間で、自動搬送又は手作業によって、混合カセット４０２が交換される（ステップ１４５０）。そして、装填制御部５０５は、混合カセット４０２から金種別カセット４０１−ｊへ補充用現金を移動させるように、補充側装置に対して指示する（ステップ１４５１）。これにより、補充側装置の移動制御部４０４は、補充用現金を移動させる。
【０１７０】
さらに、装填制御部５０５は、一時保留カセット４０３に収納されているオーバフローした紙幣、二千円紙幣、及び旧紙幣を、混合カセット４０２へ移動させるように、回収側装置及び補充側装置に対して指示する。
【０１７１】
一方、戻るボタン１６０２が押下された場合（ステップ１４４８，ＮＯ）、制御装置３０２は、処理を終了する。
【０１７２】
ステップ１４４７において、いずれかの現金処理装置３０１−ｉにおけるいずれかの金種の金種在高が適正値に満たない場合、出納係は、その現金処理装置３０１−ｉに対して不足量の現金を補充してもよい。例えば、図１３の在高情報５１１が表示された場合、現金機００４における五千円紙幣の金種別のデータが適正値よりも４００枚少ないため、現金機００４に対して五千円紙幣４００枚が補充される。また、現金機００７における五千円紙幣の金種別のデータが適正値よりも１４００枚少ないため、現金機００７に対して五千円紙幣１４００枚が補充される。
【０１７３】
また、いずれかの現金処理装置３０１−ｉにおけるいずれかの金種の混合在高が０でない場合、出納係は、その現金処理装置３０１−ｉから余剰の現金を回収することもできる。例えば、図１３の在高情報５１１が表示された場合、現金機００６における五千円紙幣の混合のデータが４００枚であるため、現金機００６から五千円紙幣４００枚が回収される。
【０１７４】
実行ボタン１６０１が押下されて回金が実行された後、制御装置３０２は、出納係からの指示に従って、図１４Ａ〜図１４Ｅの制御処理を繰り返してもよい。
【０１７５】
ところで、現金処理装置３０１−１〜現金処理装置３０１−Ｎの間で混合カセット４０２を交換するためには、各現金処理装置３０１−ｉの混合カセット４０２のハードウェア仕様を共通化することが望ましい。しかし、ＡＴＭ、大型両替機、出納機等の混合カセット４０２は、小型両替機等の混合カセット４０２よりも大きいため、必ずしも、すべての種類の現金処理装置３０１−ｉの混合カセット４０２を共通化する必要はない。
【０１７６】
例えば、混合カセット４０２として、小型カセットと大型カセットの２種類を用意し、これらを組み合わせて使用することが可能である。この場合、ＡＴＭ、大型両替機、出納機等の大型現金処理装置の混合カセット４０２として、共通化された大型カセットが使用され、小型両替機等の小型現金処理装置の混合カセット４０２として、共通化された小型カセットが使用される。そして、大型現金処理装置及び小型現金処理装置ともに、混合カセット４０２の出入口のサイズが共通化される。
【０１７７】
図１７は、大型現金処理装置間における混合カセットの交換の例を示している。図１７（ａ）は、混合カセットの交換前における現金の移動の例を示している。大型現金処理装置１７０１−１は、一時保留カセット１７１１−１、混合カセット１７１２−１、及び金種別カセット１７１３−１を含み、大型現金処理装置１７０１−２は、一時保留カセット１７１１−２、混合カセット１７１２−２、及び金種別カセット１７１３−２を含む。ただし、金種別カセット１７１３−１及び金種別カセット１７１３−２は、金種毎に設けられているものとする。
【０１７８】
大型現金処理装置１７０１−１は、大型現金処理装置１７０１−２に対する補充用現金を、金種別カセット１７１３−１から混合カセット１７１２−１に装填する。一方、大型現金処理装置１７０１−２は、大型現金処理装置１７０１−１に対する補充用現金を、金種別カセット１７１３−２から混合カセット１７１２−２に装填する。
【０１７９】
図１７（ｂ）は、混合カセットの交換後における現金の移動の例を示している。混合カセット１７１２−１と混合カセット１７１２−２が交換された後、大型現金処理装置１７０１−１は、混合カセット１７１２−２内の補充用現金を、金種別カセット１７１３−１に装填する。一方、大型現金処理装置１７０１−２は、混合カセット１７１２−１内の補充用現金を、金種別カセット１７１３−２に装填する。
【０１８０】
次に、大型現金処理装置１７０１−１は、一時保留カセット１７１１−１内の現金を、混合カセット１７１２−２及び金種別カセット１７１３−１に装填する。一方、大型現金処理装置１７０１−２は、一時保留カセット１７１１−２内の現金を、混合カセット１７１２−１及び金種別カセット１７１３−２に装填する。
【０１８１】
次に、大型現金処理装置１７０１−１は、金種別カセット１７１３−１から規定値を超えた現金を取り出し、混合カセット１７１２−２に装填する。一方、大型現金処理装置１７０１−２は、金種別カセット１７１３−２から規定値を超えた現金を取り出し、混合カセット１７１２−１に装填する。例えば、規定値としては、金種毎の適正値が用いられる。
【０１８２】
図１８は、小型現金処理装置間における混合カセットの交換の例を示している。図１８（ａ）は、混合カセットの交換前における現金の移動の例を示している。小型現金処理装置１８０１−１は、一時保留カセット１８１１−１、混合カセット１８１２−１、及び金種別カセット１８１３−１を含み、小型現金処理装置１８０１−２は、一時保留カセット１８１１−２、混合カセット１８１２−２、及び金種別カセット１８１３−２を含む。ただし、金種別カセット１８１３−１及び金種別カセット１８１３−２は、金種毎に設けられているものとする。
【０１８３】
小型現金処理装置１８０１−１は、小型現金処理装置１８０１−２に対する補充用現金を、金種別カセット１８１３−１から混合カセット１８１２−１に装填する。一方、小型現金処理装置１８０１−２は、小型現金処理装置１８０１−１に対する補充用現金を、金種別カセット１８１３−２から混合カセット１８１２−２に装填する。
【０１８４】
図１８（ｂ）は、混合カセットの交換後における現金の移動の例を示している。混合カセット１８１２−１と混合カセット１８１２−２が交換された後、小型現金処理装置１８０１−１は、混合カセット１８１２−２内の補充用現金を、金種別カセット１８１３−１に装填する。一方、小型現金処理装置１８０１−２は、混合カセット１８１２−１内の補充用現金を、金種別カセット１８１３−２に装填する。
【０１８５】
次に、小型現金処理装置１８０１−１は、一時保留カセット１８１１−１内の現金を、混合カセット１８１２−２及び金種別カセット１８１３−１に装填する。一方、小型現金処理装置１８０１−２は、一時保留カセット１８１１−２内の現金を、混合カセット１８１２−１及び金種別カセット１８１３−２に装填する。
【０１８６】
次に、小型現金処理装置１８０１−１は、金種別カセット１８１３−１から規定値を超えた現金を取り出し、混合カセット１８１２−２に装填する。一方、小型現金処理装置１８０１−２は、金種別カセット１８１３−２から規定値を超えた現金を取り出し、混合カセット１８１２−１に装填する。
【０１８７】
図１９は、大型現金処理装置と小型現金処理装置の間における混合カセットの交換の例を示している。図１９（ａ）は、混合カセットの交換前における現金の移動の例を示している。大型現金処理装置１９０１−１は、一時保留カセット１９１１−１、混合カセット１９１２−１、及び金種別カセット１９１３−１を含み、小型現金処理装置１９０１−２は、一時保留カセット１９１１−２、混合カセット１９１２−２、及び金種別カセット１９１３−２を含む。ただし、金種別カセット１９１３−１及び金種別カセット１９１３−２は、金種毎に設けられているものとする。
【０１８８】
小型現金処理装置１９０１−２は、大型現金処理装置１９０１−１に対する補充用現金を、金種別カセット１９１３−２から混合カセット１９１２−２に装填する。
【０１８９】
図１９（ｂ）は、大型現金処理装置１９０１−１において混合カセットが交換された後の現金の移動の例を示している。大型現金処理装置１９０１−１から混合カセット１９１２−１が取り外され、小型現金処理装置１９０１−２から混合カセット１９１２−２が取り外される。そして、取り外された混合カセット１９１２−２が、混合カセット１９１２−１の代わりに大型現金処理装置１９０１−１に装着される。
【０１９０】
大型現金処理装置１９０１−１は、混合カセット１９１２−２内の補充用現金を、金種別カセット１９１３−１に装填する。次に、大型現金処理装置１９０１−１は、小型現金処理装置１９０１−２に対する補充用現金を、金種別カセット１９１３−１から混合カセット１９１２−２に装填する。
【０１９１】
図１９（ｃ）は、混合カセットが元の現金処理装置に戻された後の現金の移動の例を示している。混合カセット１９１２−１及び混合カセット１９１２−２が、大型現金処理装置１９０１−１及び小型現金処理装置１９０１−２にそれぞれ装着された後、大型現金処理装置１９０１−１は、一時保留カセット１９１１−１内の現金を、混合カセット１９１２−１及び金種別カセット１９１３−１に装填する。
【０１９２】
小型現金処理装置１９０１−２は、混合カセット１９１２−２内の補充用現金を、金種別カセット１９１３−２に装填し、一時保留カセット１９１１−２内の現金を、混合カセット１９１２−２及び金種別カセット１９１３−２に装填する。そして、小型現金処理装置１９０１−２は、金種別カセット１９１３−２から規定値を超えた現金を取り出し、混合カセット１９１２−２に装填する。
【０１９３】
混合カセット４０２として、大型現金処理装置及び小型現金処理装置それぞれに合わせて自動的に変形する、特殊カセットを使用することも可能である。
【０１９４】
図２０は、このような特殊カセットを使用した特殊現金処理装置間における混合カセットの交換の例を示している。図２０（ａ）は、混合カセットの交換前における現金の移動の例を示している。大型特殊現金処理装置２００１−１は、一時保留カセット２０１１−１、混合カセット２０１２−１、及び金種別カセット２０１３−１を含み、小型特殊現金処理装置２００１−２は、一時保留カセット２０１１−２、混合カセット２０１２−２、及び金種別カセット２０１３−２を含む。
【０１９５】
ただし、金種別カセット２０１３−１及び金種別カセット２０１３−２は、金種毎に設けられているものとする。混合カセット２０１２−１及び混合カセット２０１２−２は、大型特殊現金処理装置２００１−１又は小型特殊現金処理装置２００１−２のいずれに装着されるかに応じて変形可能な特殊カセットである。
【０１９６】
大型特殊現金処理装置２００１−１は、小型特殊現金処理装置２００１−２に対する補充用現金を、金種別カセット２０１３−１から混合カセット２０１２−１に装填する。一方、小型特殊現金処理装置２００１−２は、大型特殊現金処理装置２００１−１に対する補充用現金を、金種別カセット２０１３−２から混合カセット２０１２−２に装填する。
【０１９７】
図２０（ｂ）は、混合カセットの交換後における現金の移動の例を示している。混合カセット２０１２−１と混合カセット２０１２−２が交換された後、大型特殊現金処理装置２００１−１は、混合カセット２０１２−２内の補充用現金を、金種別カセット２０１３−１に装填する。一方、小型特殊現金処理装置２００１−２は、混合カセット２０１２−１内の補充用現金を、金種別カセット２０１３−２に装填する。
【０１９８】
次に、大型特殊現金処理装置２００１−１は、一時保留カセット２０１１−１内の現金を、混合カセット２０１２−２及び金種別カセット２０１３−１に装填する。一方、小型特殊現金処理装置２００１−２は、一時保留カセット２０１１−２内の現金を、混合カセット２０１２−１及び金種別カセット２０１３−２に装填する。
【０１９９】
次に、大型特殊現金処理装置２００１−１は、金種別カセット２０１３−１から規定値を超えた現金を取り出し、混合カセット２０１２−２に装填する。一方、小型特殊現金処理装置２００１−２は、金種別カセット２０１３−２から規定値を超えた現金を取り出し、混合カセット２０１２−１に装填する。
【０２００】
図１７〜図２０に示したように、混合カセット４０２のハードウェア仕様を共通化することで、現金処理装置３０１−１〜現金処理装置３０１−Ｎの間で容易に混合カセット４０２を交換することができ、混合カセット４０２の交換による回金が促進される。したがって、ハードウェア仕様が共通化されていない他の現金処理装置と比較して、現金処理装置３０１−ｉの付加価値が向上する。
【０２０１】
図１及び図３の現金処理システムの構成は一例に過ぎず、現金処理システムの用途又は条件に応じて一部の構成要素を省略又は変更してもよい。現金処理システムは、銀行における回金業務に限らず、現金を取り扱う他の業種における回金業務に対して適用されてもよい。
【０２０２】
図４の現金処理装置３０１−ｉ及び図５の制御装置３０２の構成は一例に過ぎず、現金処理システムの用途又は条件に応じて一部の構成要素を省略又は変更してもよい。例えば、図４の現金処理装置３０１−ｉにおいて、いずれかの金種の現金を一時的に収納する必要がない場合は、一時保留カセット４０３を省略することができる。図５の制御装置３０２において、出納係との対話を行う必要がない場合は、表示部５０６及び受付部５０７を省略することができる。
【０２０３】
図２及び図１４Ａ〜図１４Ｅのフローチャートは一例に過ぎず、現金処理システムの構成又は条件に応じて一部の処理を省略又は変更してもよい。例えば、図１４Ａ〜図１４Ｅの制御処理において、出納係との対話を行う必要がない場合は、ステップ１４４７及びステップ１４４８の処理を省略することができる。
【０２０４】
第１順位〜第３順位の組み合わせとして、別のステータスに基づく組み合わせを用いる場合は、ステップ１４１６〜ステップ１４２０及びステップ１４２４〜ステップ１４２８の処理が変更される。制御装置３０２は、第１順位〜第３順位のうち一部の順位の組み合わせのみを用いて、回金対象の組み合わせを選択してもよい。
【０２０５】
図６、図７、及び図１０〜図１３に示した在高情報５１１は一例に過ぎず、在高情報５１１は、現金処理システムの構成又は条件に応じて変化する。金種別カセット４０１−ｊ、混合カセット４０２、及び一時保留カセット４０３に硬貨が収納されている場合は、金種別の硬貨の枚数が在高として記録される。紙幣又は硬貨の枚数の代わりに、現金の金額を在高として用いてもよい。
【０２０６】
図８に示した補充可否情報５１２は一例に過ぎず、補充可否情報５１２は、在高情報５１１に応じて変化する。図９に示した現金機の組み合わせは一例に過ぎず、現金機の組み合わせは、補充可否情報５１２に応じて変化する。第１順位〜第３順位の組み合わせとして、別のステータスに基づく組み合わせを用いてもよい。
【０２０７】
図１５に示した初期画面及び図１６に示した選択画面は一例に過ぎず、現金処理システムの構成又は条件に応じて別の画面を用いてもよい。図１７〜図２０に示した混合カセットの交換方法は一例に過ぎず、現金処理システムの構成又は条件に応じて別の交換方法を用いてもよい。
【０２０８】
図２１は、図１の制御装置１０２及び図５の制御装置３０２として用いられる情報処理装置（コンピュータ）の構成例を示している。図２１の情報処理装置は、ＣＰＵ（Central Processing Unit）２１０１、メモリ２１０２、入力装置２１０３、出力装置２１０４、補助記憶装置２１０５、媒体駆動装置２１０６、及びネットワーク接続装置２１０７を含む。これらの構成要素はバス２１０８により互いに接続されている。
【０２０９】
メモリ２１０２は、例えば、ＲＯＭ（Read Only Memory）、ＲＡＭ（Random Access Memory）、フラッシュメモリ等の半導体メモリであり、処理に用いられるプログラム及びデータを格納する。メモリ２１０２は、図１の記憶部１２１又は図５の記憶部５０１として用いることができる。
【０２１０】
ＣＰＵ２１０１（プロセッサ）は、例えば、メモリ２１０２を利用してプログラムを実行することにより、図１の選択部１２２及び移動指示部１２３として動作する。ＣＰＵ２１０１は、メモリ２１０２を利用してプログラムを実行することにより、図５の在高抽出部５０２、組み合わせ抽出部５０３、決定部５０４、及び装填制御部５０５としても動作する。
【０２１１】
入力装置２１０３は、例えば、キーボード、ポインティングデバイス等であり、オペレータ又は利用者からの指示又は情報の入力に用いられる。入力装置２１０３は、図５の受付部５０７として用いることができる。出力装置２１０４は、例えば、表示装置、プリンタ、スピーカ等であり、オペレータ又は利用者への問い合わせ又は指示、及び処理結果の出力に用いられる。処理結果は、選択結果５１４が示す現金処理装置３０１−ｉの組み合わせと、回金実行後の各現金処理装置３０１−ｉの在高を示す在高情報５１１であってもよい。出力装置２１０４は、図５の表示部５０６として用いることができる。
【０２１２】
補助記憶装置２１０５は、例えば、磁気ディスク装置、光ディスク装置、光磁気ディスク装置、テープ装置等である。補助記憶装置２１０５は、ハードディスクドライブであってもよい。情報処理装置は、補助記憶装置２１０５にプログラム及びデータを格納しておき、それらをメモリ２１０２にロードして使用することができる。補助記憶装置２１０５は、図１の記憶部１２１又は図５の記憶部５０１として用いることができる。
【０２１３】
媒体駆動装置２１０６は、可搬型記録媒体２１０９を駆動し、その記録内容にアクセスする。可搬型記録媒体２１０９は、メモリデバイス、フレキシブルディスク、光ディスク、光磁気ディスク等である。可搬型記録媒体２１０９は、ＣＤ−ＲＯＭ（Compact Disk Read Only Memory）、ＤＶＤ（Digital Versatile Disk）、ＵＳＢ（Universal Serial Bus）メモリ等であってもよい。オペレータ又は利用者は、この可搬型記録媒体２１０９にプログラム及びデータを格納しておき、それらをメモリ２１０２にロードして使用することができる。
【０２１４】
このように、処理に用いられるプログラム及びデータを格納するコンピュータ読み取り可能な記録媒体は、メモリ２１０２、補助記憶装置２１０５、又は可搬型記録媒体２１０９のような、物理的な（非一時的な）記録媒体である。
【０２１５】
ネットワーク接続装置２１０７は、図３の通信ネットワーク３０３に接続され、通信に伴うデータ変換を行う通信インタフェース回路である。情報処理装置は、プログラム及びデータを外部の装置からネットワーク接続装置２１０７を介して受信し、それらをメモリ２１０２にロードして使用することができる。
【０２１６】
なお、情報処理装置が図２１のすべての構成要素を含む必要はなく、用途又は条件に応じて一部の構成要素を省略することも可能である。例えば、情報処理装置がオペレータ又は利用者との対話を行わない場合は、入力装置２１０３及び出力装置２１０４を省略してもよい。可搬型記録媒体２１０９を使用しない場合は、媒体駆動装置２１０６を省略してもよい。
【０２１７】
開示の実施形態とその利点について詳しく説明したが、当業者は、特許請求の範囲に明確に記載した本発明の範囲から逸脱することなく、様々な変更、追加、省略をすることができるであろう。
【符号の説明】
【０２１８】
１０１−１〜１０１−Ｎ、３０１−１〜３０１−Ｎ  現金処理装置
１０２、３０２  制御装置
１１１−１〜１１１−Ｍ  金種別収納庫
１１２  交換収納庫
１１３、４０４  移動制御部
１２１、４０５、５０１  記憶部
１２２  選択部
１２３  移動指示部
１３１、４１１、５１１  在高情報
３０３  通信ネットワーク
４０１−１〜４０１−Ｍ、１７１３−１、１７１３−２、１８１３−１、１８１３−２、１９１３−１、１９１３−２、２０１３−１、２０１３−２  金種別カセット
４０２、１７１２−１、１７１２−２、１８１２−１、１８１２−２、１９１２−１、１９１２−２、２０１２−１、２０１２−２  混合カセット
４０３、１７１１−１、１７１１−２、１８１１−１、１８１１−２、１９１１−１、１９１１−２、２０１１−１、２０１１−２  一時保留カセット
５０２  在高抽出部
５０３  組み合わせ抽出部
５０４  決定部
５０５  装填制御部
５０６  表示部
５０７  受付部
５１２  補充可否情報
５１３  組み合わせ情報
５１４  選択結果
１５０１  確認ボタン
１６０１  実行ボタン
１６０２  戻るボタン
１７０１−１、１７０１−２、１９０１−１  大型現金処理装置
１８０１−１、１８０１−２、１９０１−２  小型現金処理装置
２００１−１  大型特殊現金処理装置
２００１−２  小型特殊現金処理装置
２１０１  ＣＰＵ
２１０２  メモリ
２１０３  入力装置
２１０４  出力装置
２１０５  補助記憶装置
２１０６  媒体駆動装置
２１０７  ネットワーク接続装置
２１０８  バス
２１０９  可搬型記録媒体
【図１】
2020046739.tif 000003
【図２】
2020046739.tif 000004
【図３】
2020046739.tif 000005
【図４】
2020046739.tif 000006
【図５】
2020046739.tif 000007
【図６】
2020046739.tif 000008
【図７】
2020046739.tif 000009
【図８】
2020046739.tif 000010
【図９】
2020046739.tif 000011
【図１０】
2020046739.tif 000012
【図１１】
2020046739.tif 000013
【図１２】
2020046739.tif 000014
【図１３】
2020046739.tif 000015
【図１４Ａ】
2020046739.tif 000016
【図１４Ｂ】
2020046739.tif 000017
【図１４Ｃ】
2020046739.tif 000018
【図１４Ｄ】
2020046739.tif 000019
【図１４Ｅ】
2020046739.tif 000020
【図１５】
2020046739.tif 000021
【図１６】
2020046739.tif 000022
【図１７】
2020046739.tif 000023
【図１８】
2020046739.tif 000024
【図１９】
2020046739.tif 000025
【図２０】
2020046739.tif 000026
【図２１】
2020046739.tif 000027